(57)【特許請求の範囲】
【請求項１】
保湿構造体を備えるコンクリート土間構造であって、
前記保湿構造体が、地盤からの水分がコンクリートに吸収されるのを防止する防湿部と、コンクリートに含有されている余剰水を吸収し、かつ、コンクリートの一定の硬化後に吸収した余剰水を養生水として放出する保湿部と、前記保湿部に前記余剰水の吸収および前記養生水の放出をなさせ、かつ、同保湿部の打設後のコンクリートとの全面的な接触を防止する防水部とを備え、
前記防水部を構成している防水シートに透孔が形成され、前記透孔にコンクリートのアルカリ成分または水分により溶解する素材からなる蓋がなされている
ことを特徴とするコンクリート土間構造。
【請求項２】
保湿構造体を備えるコンクリート土間構造であって、
前記保湿構造体が、シート状に形成され地盤からの水分がコンクリートに吸収されるのを防止する防湿部と、柱状体に形成されコンクリートに含有されている余剰水を吸収し、かつ、コンクリートの一定の硬化後に吸収した余剰水を養生水として放出する保湿部、および前記保湿部に前記余剰水の吸収および前記養生水の放出をなさせ、かつ、同保湿部の打設後のコンクリートとの全面的な接触を防止する防水部とからなり、
前記柱状体が、保湿部を構成している芯材と、防水部を構成しているラップ層とからなり、
前記ラップ層が、コンクリートのアルカリ成分または水分により溶解する素材からなる
ことを特徴とするコンクリート土間構造。
【請求項３】
芯材の中心部に軽量化部材が配設されてなることを特徴とする請求項２記載のコンクリート土間構造。
【請求項４】
請求項１ないし３のいずれか一項に記載のコンクリート土間構造の施工方法であって、
砕石を敷設して砕石下地を形成する手順と、
保湿構造体を配設する手順と、
コンクリートを打設する手順と、
コンクリートのレベル出しをなす手順と、
コンクリートの一定の硬化後にコンクリート表面を養生シートで覆う手順
とを含んでいることを特徴するコンクリート土間構造の施工方法。
【発明の詳細な説明】
【技術分野】
【０００１】
本発明はコンクリート土間構造およびその施工方法に関する。さらに詳しくは、地盤からの湿気を遮断し、しかも打設時の余剰水の処理および打設後の養生が簡略化されるコンクリート土間構造およびその施工方法に関する。
【背景技術】
【０００２】
従来より、コンクリート土間の施工においては、次のような問題が知られている。
【０００３】
イ）地盤から供給される水分量の多寡によりコンクリートの硬化速度が異なってくるため、硬質仕上げを行うコンクリート土間においては、その施工のタイミングをつかむのが非常に困難となっている。
【０００４】
ロ）地盤が硫酸塩を多く含むような酸性土壌である場合、酸性土壌とアルカリ性のコンクリートとの化学反応によりコンクリートの品質が劣化する。
【０００５】
かかる問題を解決して施工の標準化を図るため、コンクリート土間の施工においては、地盤を防湿シートで覆ってからコンクリートの打設がなされている。
【０００６】
しかしながら、地盤を防湿シートで覆ってからコンクリートの打設がなされた場合、コンクリートの流動性を向上させるための余剰水が、レベル調整された後のコンクリート表面に湧き出るため、その湧き出た水つまりブリーディング水の排出が必要となり施工の煩雑化および工期の長期化を招来するという問題がある。
【０００７】
また、その作業がレベル調整された後のコンクリート表面でなされるところから、レベルの再調整が必要となりさらなる工期の長期化を招来するという問題も生じている。
【０００８】
さらに、余剰水の流路が施工後の亀裂を誘引するというおそれもある。
【発明の開示】
【発明が解決しようとする課題】
【０００９】
本発明はかかる従来技術の課題に鑑みなされたものであって、地盤を防湿シートで覆いながら、余剰水の湧出が防止されるとともに、コンクリートの養生処理が簡略化されるコンクリート土間構造およびその施工方法を提供することを目的としている。
【課題を解決するための手段】
【００１０】
本発明のコンクリート土間構造の第１形態は、保湿構造体を備えるコンクリート土間構造であって、前記保湿構造体が、地盤からの水分がコンクリートに吸収されるのを防止する防湿部と、コンクリートに含有されている余剰水を吸収し、かつ、コンクリートの一定の硬化後に吸収した余剰水を養生水として放出する保湿部と、前記保湿部に前記余剰水の吸収および前記養生水の放出をなさせ、かつ、同保湿部の打設後のコンクリートとの全面的な接触を防止する防水部とを備え、 前記防水部を構成している防水シートに透孔が形成され、前記透孔にコンクリートのアルカリ成分または水分により溶解する素材からなる蓋がなされていることを特徴とする。
【００１２】
また、本発明のコンクリート土間構造の第２形態は、保湿構造体を備えるコンクリート土間構造であって、前記保湿構造体が、シート状に形成され地盤からの水分がコンクリートに吸収されるのを防止する防湿部と、柱状体に形成されコンクリートに含有されている余剰水を吸収し、かつ、コンクリートの一定の硬化後に吸収した余剰水を養生水として放出する保湿部、および前記保湿部に前記余剰水の吸収および前記養生水の放出をなさせ、かつ、同保湿部の打設後のコンクリートとの全面的な接触を防止する防水部とからなり、前記柱状体が、保湿部を構成している芯材と、防水部を構成しているラップ層とからなり、前記ラップ層が、コンクリートのアルカリ成分または水分により溶解する素材からなることを特徴とする。本発明のコンクリート土間構造の第２形態においては、芯材の中心部に軽量化部材が配設されてなるのが好ましい。
【００１３】
一方、本発明のコンクリート土間構造の施工方法は、前記いずれかに記載のコンクリート土間構造の施工方法であって、砕石を敷設して砕石下地を形成する手順と、保湿構造体を配設する手順と、コンクリートを打設する手順と、コンクリートのレベル出しをなす手順と、コンクリートの一定の硬化後にコンクリート表面を養生シートで覆う手順
とを含んでいることを特徴する。
【発明の効果】
【００１４】
本発明によれば、コンクリートの流動性を確保するためにコンクリートに余剰に含有されている余剰水は、コンクリートの打設後に保湿構造体に吸収される一方、その吸収された余剰水が養生水として再利用されるので、ブリーディング水の排水作業が不要となるとともに、コンクリートが一定の硬化をした後の養生水の散水が軽減されるので、作業効率および施工性が向上するとともに、施工コストが低減されるという優れた効果が得られる。
【００１５】
また、本発明によれば、レベル調整後のコンクリート表面での排水作業がなくなるので、レベルの再調整が不要となり、工期が短縮されるとともに、施工コストのより一層の低減が図られるという優れた効果が得られる。
【００１６】
さらに、本発明によれば、地盤から土間コンクリートへの水分の進入が遮断されるので、地盤の特性が施工に影響を与えることがなく施工の標準化が図られるという優れた効果が得られる。
【発明を実施するための最良の形態】
【００１７】
以下、添付図面を参照しながら本発明を実施形態に基づいて説明するが、本発明はかかる実施形態のみに限定されるものではない。
【００１８】
実施形態１
本発明の実施形態１に係るコンクリート土間構造（以下、単に土間構造という）Ｋの要部断面を図１に示し、その上面を図２に示す。
【００１９】
土間構造Ｋは、図１に示すように、砕石下地１と土間コンクリート２との間に保湿構造体１０を介装してなるものとされる。
【００２０】
保湿構造体１０は、砕石下地１に面する下層の防湿部１１と、中層の保湿部１２と、上層の防水部１３とからなる三層体とされる。
【００２１】
防湿部１１は、従来よりコンクリート土間２の施工に用いられている防湿シートからなものとされ、地盤からの水分が土間コンクリート２に吸収されるのを防止するよう機能する。
【００２２】
保湿部１２は、例えば吸水紙を積層した積層保湿シートや吸水性を有する不織布からなるものとされ、打設されたコンクリートに含有されている余剰水を吸収し、余剰水がブリーディング水としてコンクリート表面に湧き出るのを防止する一方、コンクリートが一定の硬化をした後に吸収した余剰水を養生水として放出するよう機能する。ここで、保湿部１２の厚さは、打設するコンクリートの厚さに応じて適宜調整される。
【００２３】
防水部１３は、例えばビニールシートからなるものとされ、打設されたコンクリートと保湿部１２とが全面的に直接接触し、その接触面から急激にコンクリートに含有されている水分が吸収され、それがためコンクリートの施工時の流動性や施工後の硬化が阻害されるのを防止するよう機能する。
【００２４】
この防水部１３には、図１および図２に示すように、所定配列にて透孔１３ａが形成されている。これらの透孔１３ａの大きさおよび配列は、コンクリートに含有されている水分が、コンクリートの硬化に悪影響を及ぼさない速度で保湿部１２に吸収されるよう調整されている。その場合、コンクリートの打設から一定期間は、保湿部１２による水分の吸収を防止するため、吸水性が悪くしかもコンクリートのアルカリ成分や水分により溶解する素材、例えばキトサンからなる蓋１４により透孔１３ａを塞いでもよい。
【００２５】
次に、かかる構成とされている土間構造Ｋの施工について説明する。
【００２６】
手順１：砕石を敷き詰め砕石下地１を形成する。
【００２７】
手順２：保湿構造体１０を砕石下地１の上に敷く。
【００２８】
手順３：保湿構造体１０の上にコンクリートを打設する。
【００２９】
手順４：コンクリートのレベル出しをする。
【００３０】
手順５：コンクリートが一定の硬化をした後、コンクリート表面を養生シートで覆う。（この硬化の際にコンクリートに含有されている余剰水は、保湿部１２に吸収される一方、養生の際にこの吸収された余剰水は、養生水として保湿部１２からコンクリートに供給される。）
【００３１】
手順６：所定の養生期間経過後、養生シートを撤去する。これにより、土間構造Ｋの施工が完了する。
【００３２】
このように、この実施形態１の土間構造Ｋにおいては、コンクリートの流動性を確保するためにコンクリートに余剰に含有されている余剰水は、コンクリートの打設後に保湿部１２に吸収される一方、その吸収された余剰水が養生水として再利用されるので、ブリーディング水の排水作業が不要となるとともに、コンクリートが一定の硬化をした後の養生水の散水が軽減されるので、作業効率および施工性が向上するとともに、施工コストが低減される。また、レベル調整後のコンクリート表面での排水作業がなくなるので、レベルの再調整が不要となり、工期が短縮されるとともに、施工コストのより一層の低減が図られる。さらに、地盤から土間コンクリート２への水分の進入が遮断されるので、地盤の特性が施工に影響を与えることがなく施工の標準化が図られる。
【００３３】
実施形態２
本発明の実施形態２に係るコンクリート土間構造（以下、単に土間構造という）Ｋ１の要部断面を図３に示し、その斜視図を図４に示す。
【００３４】
土間構造Ｋ１は、実施形態１の土間構造Ｋの保湿構造体１０を改変してなるものであって、保湿部１２の材質を変更してなるものとされる。すなわち、保湿部１２の材質を吸水紙を積層した積層保湿シートなどから砂層に改変して保湿部１５として保湿構造体１０Ａを構成してなるものとされる。ここで、保湿部１５の厚さは、打設するコンクリートの厚さに応じて適宜調整される。図中、符号３は土間鉄筋を示す。
【００３５】
なお、土間構造Ｋ１のその余の構成は、土間構造Ｋと同様とされている。
【００３６】
実施形態２の土間構造Ｋ１は、かかる構成とされていることにより、実施形態１の土間構造Ｋと同様に、コンクリートの流動性を確保するためにコンクリートに余剰に含有されている余剰水は、コンクリートの打設後に保湿部１５に吸収される一方、その吸収された余剰水が養生水として再利用されるので、ブリーディング水の排水作業が不要となるとともに、コンクリートが一定の硬化をした後の養生水の散水が軽減されるので、作業効率および施工性が向上するとともに、施工コストが低減される。また、レベル調整後のコンクリート表面での排水作業がなくなるので、レベルの再調整が不要となり、工期が短縮されるとともに、施工コストのより一層の低減が図られる。さらに、地盤から土間コンクリート２への水分の進入が遮断されるので、地盤の特性が施工に影響を与えることがなく施工の標準化が図られる。
【００３７】
実施形態３
本発明の実施形態３に係るコンクリート土間構造（以下、単に土間構造という）Ｋ２の要部断面を図５に示す。
【００３８】
土間構造Ｋ２は、実施形態１の土間構造Ｋの保湿構造体１０を改変してなるものであって、防湿部１１と、保湿部１２および防水部１３とを分離して保湿構造体１０Ｂとしてなるものとされる。
【００３９】
土間構造Ｋ２は、図５および図６（ａ）に示すように、保湿部１２および防水部１３が保湿性を有する円柱状体２０に構成されて、土間コンクリート２中に適宜間隔で埋設されてなるものとされる。なお、柱状体２０は、円柱状に限定されるものではなく、種々の形状となし得る。例えば六角柱状とされてもよい。
【００４０】
すなわち、円柱状体２０は保湿部１２を構成する芯材２１と、芯材２１を覆って防水部１３を構成するラップ層２２とから構成されている。ここで、円柱状体２０の大きさおよび配置間隔は、打設するコンクリートの厚さに応じて適宜調整される。
【００４１】
また、円柱状体２０は、図６（ｂ）に示すように、芯材２１の中心部を発泡スチロールなどのような軽量化部材２３を配設して、円柱状体２０の軽量化をはかってもよい。
【００４２】
芯材２１は、例えば吸水性を有する不織布や砂をラップ層２２により形成された円筒状体に充填して形成されてなるものとされる。
【００４３】
ラップ層２２は、コンクリートのアルカリ成分や水分で溶解される素材、例えばキトサンを円筒状体に成形してなるものとされる。その厚みは、コンクリート打設後、数時間で溶解するように調整されている。ここで、溶解は完全溶解である必要はなく、余剰水の吸収および養生水の放出がなし得る程度の溶解、例えばまだら模様の溶解でもよい。
【００４４】
また、ラップ層２２をコンクリートのアルカリ成分や水分で溶解されない素材により形成し、芯材２１による余剰水の吸収および養生水の放出のための透孔を形成し、その透孔をコンクリートのアルカリ成分や水分で溶解される素材により形成された蓋により塞ぐようにしてもよい。
【００４５】
実施形態３の土間構造Ｋ２は、かかる構成とされていることにより、実施形態１の土間構造Ｋと同様に、コンクリートの流動性を確保するためにコンクリートに余剰に含有されている余剰水は、コンクリートの打設後に芯材２１に吸収される一方、その吸収された余剰水が養生水として再利用されるので、ブリーディング水の排水作業が不要となるとともに、コンクリートが一定の硬化をした後の養生水の散水が軽減されるので、作業効率および施工性が向上するとともに、施工コストが低減される。また、レベル調整後のコンクリート表面での排水作業がなくなるので、レベルの再調整が不要となり、工期が短縮されるとともに、施工コストのより一層の低減が図られる。さらに、地盤から土間コンクリート２への水分の進入が遮断されるので、地盤の特性が施工に影響を与えることがなく施工の標準化が図られる。
【産業上の利用可能性】
【００４６】
本発明は、コンクリート土間に適用できる。
【図面の簡単な説明】
【００４７】
【図１】本発明の実施形態１に係る土間構造の要部断面図である。
【図２】同平面図である。
【図３】本発明の実施形態２に係る土間構造の要部断面図である。
【図４】同斜視図である。
【図５】本発明の実施形態３に係る土間構造の要部断面図である。
【図６】同実施形態の円柱状体の断面図である。
【符号の説明】
【００４８】
１          砕石下地
２          土間コンクリート
１０          保湿構造体
１１          防湿部
１２，１５    保湿部
１３          防水部
１３ａ        透孔
１４          蓋
２０          円柱状体
２１          芯材
２２          ラップ層
２３          軽量化部材
Ｋ          土間構造
【図１】
0004812499.tif 000002
【図２】
0004812499.tif 000003
【図３】
0004812499.tif 000004
【図４】
0004812499.tif 000005
【図５】
0004812499.tif 000006
【図６】
0004812499.tif 000007